(57)【特許請求の範囲】
【請求項１】
端末装置本体に設けられた開口部を覆うカバー本体と、
前記カバー本体の一端側から一体に延び且つ先端部に鉤状突片部が形成されたヒンジ部と、
前記端末装置本体に設けられて、前記カバー本体と係合及び離脱可能な係合部と、
前記端末装置本体の前記開口部に隣設されて、前記ヒンジ部を収納可能なヒンジ収納隙間部と、
該ヒンジ収納隙間部に設けられて、前記ヒンジ部が前記ヒンジ収納隙間部に沿って前記開口部側へ引き出される方向に前記カバー本体をスライドさせたときに前記鉤状突片部と係止して前記ヒンジ部の前記開口部側への引き出しを規制するヒンジ部抜け止め用のリブと、
を備えて構成され、
前記ヒンジ収納隙間部にヒンジ部が挿入された状態で、前記カバー本体を前記係合部に係合させて前記開口部を前記カバー本体で覆う一方、前記カバー本体を前記係合部から離脱させ、前記カバー本体をヒンジ部が前記ヒンジ収納隙間部に沿って前記開口部側へ引き出される方向にスライドさせつつ、前記カバー本体を前記端末装置本体から離反させることにより、前記開口部を開くよう構成した端末装置のカバー構造において、
前記ヒンジ部が前記ヒンジ収納隙間部に沿って前記開口部側へ引き出される方向に前記カバー本体をスライドさせたときに、前記鉤状突片部と係止して、当該鉤状突片部の前記スライド方向に対して略垂直な方向への移動を規制する移動規制部材を備えた
ことを特徴とする端末装置のカバー構造。
【請求項２】
前記ヒンジ部は、可撓性を有すると共に、
前記移動規制部材は、前記鉤状突片部が前記リブに係止しているときに、前記鉤状突片部を係止する
ことを特徴とする請求項１記載の端末装置のカバー構造。
【請求項３】
前記移動規制部材は、前記カバー本体が前記係合部に係合して前記開口部を覆った状態では、前記鉤状突片部との係止が解除されるように構成されている
ことを特徴とする請求項１又は２に記載の端末装置のカバー構造。
【請求項４】
前記ヒンジ部は、前記ヒンジ収納隙間部に対して、前記端末装置本休の前記カバー本体が取り付けられる面に平行な方向から挿入可能であり、
前記移動規制部材は、前記鉤状突片部を係止したときに、前記ヒンジ部が挿入される方向と反対方向への前記鉤状突片部の移動を規制する
ことを特徴とする請求項１〜３のいずれか１つに記載の端末装置のカバー構造。
【請求項５】
前記鉤状突片部が、前記スライド方向へ延びるように形成される溝を有し、
前記移動規制部材は、前記溝に係合して、当該鉤状突片部の前記スライド方向に対して略直角な方向への移動を規制する
ことを特徴とする請求項１〜４のいずれか１つに記載の端末装置のカバー構造。
【請求項６】
前記鉤状突片部と前記移動規制部材とは、両者が互いに係止した場合に圧接するように構成されている
ことを特徴とする請求項１〜５のいずれか１つに記載の端末装置のカバー構造。
【請求項７】
請求項１〜６のいずれか１つに記載の端末装置のカバー構造を備えたことを特徴とする端末装置。
【発明の詳細な説明】
【技術分野】
【０００１】
本発明は、端末装置のカバー構造及び該カバー構造を備えた端末装置に関するものである。
【背景技術】
【０００２】
近年、携帯電話機やＰＨＳ等の移動通信機、或いはＰＤＡ（Personal Digital Assistant）や小型のノート型パソコンといった端末装置が急速に普及してきているが、斯かる端末装置においては、画像データや音楽データ等を記憶させたメモリーカードのような記憶媒体を装着し得るようにしたものがある。
【０００３】
図１０は折畳式の携帯電話機等の端末装置の一例を示すものであって、１は端末装置本体、２は端末装置本体１を形成する筐体であり、折畳式の端末装置は、端末装置本体１を形成する筐体２を第１の筐体としての上部筐体２ａと第２の筐体としての下部筐体２ｂとに分割し、それらをヒンジモジュール３を介して開閉可能となるよう互いに回動自在に連結してなる構成を有する。
【０００４】
前記上部筐体２ａには、液晶ディスプレイ（ＬＣＤ：Liquid Crystal Display）等の表示器４が設けられる一方、前記下部筐体２ｂには、多数のキー５が配置され且つバッテリー（図示せず）が内蔵されると共に、記憶媒体６が抜き差しされる細長い開口部７と、該記憶媒体６の開口部７を開閉自在に覆うためのカバー８とが設けられている。
【０００５】
そして、本出願人は特願２００４−２４６６２１号において、端末装置のカバー構造を提案している。図１１は当該端末装置のカバー構造における構成を示したもので、前記下部筐体２ｂは、フロントケース９と、キー入力装置１０と、基板１１と、前記カバー８が矢印の挿入方向Ａに挿入して取り付けられるリアケース１２と、バッテリーリッド１３とを有しており、上記各構成部品は図１１の上下方向に嵌合することにより組立てられる。
【０００６】
前記カバー８を下部筐体２ｂに取り付ける方法には、カバー８を予めフロントケース９又はリアケース１２に挿入した後に下部筐体２ｂを組み立てる方法と、前記フロントケース９とリアケース１２を組み立てた後に下部筐体２ｂの開口部７にカバー８を組み込む方法とがあるが、本発明を含む以下の説明では、図１１に示すようにカバー８をリアケース１２に挿入してから下部筐体２ｂを組立てる構成について説明する。
【０００７】
図１２は前記端末装置本体１に取り付けられるカバー８を内側から見たものであり、該カバー８は、図１０の端末装置本体１に開口した記憶媒体６の開口部７を覆う大きさのカバー本体８ａと、該カバー本体８ａの長手方向一端側から一体に延び且つ先端部に鉤状突片部８ｂを備えたヒンジ部８ｃとから構成されている。前記カバー本体８ａは例えばポリカーボネートやＡＢＳ等の硬質樹脂により形成され、また、鉤状突片部８ｂを有するヒンジ部８ｃは例えばエラストマ等の可撓性を有する材料にて形成されており、前記カバー本体８ａと前記ヒンジ部８ｃは夫々二色成形或いは熱溶着によって一体化されている。前記ヒンジ部８ｃとは反対側のカバー本体８ａの他端部には、前記開口部７の側辺に係合・離脱が可能な側部爪８ｄを備えており、また、前記カバー本体８ａの下辺には前記開口部７の底面に係合・離脱が可能な下辺爪８ｅを備えている。
【０００８】
前記端末装置本体１には、図１５に示す如く記憶媒体６の開口部７の長手方向一端側に隣接して延びるヒンジ収納隙間部１４が形成してあり、該ヒンジ収納隙間部１４の開口部７側端部にはリブ１５，１６を設けている。前記カバー８は、図１５の紙面に対して鉛直上方から前記端末装置本体１に挿入して取付けるようにしており、この時、前記鉤状突片部８ｂはヒンジ収納隙間部１４に挿入され、前記ヒンジ部８ｃはリブ１５，１６間に軽圧入されるようになっている。前記リブ１５は鉤状突片部８ｂを係止するようになっていてヒンジ部８ｃが前記開口部７側へ引き出されるのを規制している。また、図１３、図１４に示す如く前記開口部７の側辺は前記カバー本体８ａに設けた側部爪８ｄが係合・離脱する係合部１７となっており、また、図１３〜図１５に示す如く前記開口部７の底面位置には、前記カバー本体８ａの下辺に設けた下辺爪８ｅが係合する溝部からなる係合部１８を形成している。
【０００９】
前記開口部７を閉じるべく前記カバー８を端末装置本体１に取り付けるには、図１２のカバー本体８ａの一端側のヒンジ部８ｃを図１３〜図１５に示す如く前記鉤状突片部８ｂがヒンジ収納隙間部１４に対応するようにしてヒンジ部８ｃをリブ１５，１６間に軽圧入の状態で挿入する一方、他端側の側部爪８ｄを開口部７の側辺の係合部１７に係合させ、且つ前記カバー本体８ａの下辺に設けた下辺爪８ｅを溝部による係合部１８に係合させる。これにより開口部７はカバー本体８ａよって閉じられる。
【００１０】
また、前記開口部７を開けるには、側部爪８ｄを端末装置本体１の係合部１７から離脱させ、図１６に示す如くカバー本体８ａをヒンジ部８ｃがヒンジ収納隙間部１４から引き出される方向Ｂにスライドさせる。このとき、カバー本体８ａは紙面と直角の鉛直上方への移動は拘束されていないので、下辺爪８ｅは溝部による係合部１８から容易に抜け出すことができ、従って前記ヒンジ部８ｃを矢印Ｃの方向に撓ませるようにカバー本体８ａを開口部７から離反させると開口部７は開放される。
【００１１】
尚、端末装置本体に開口された記憶媒体の開口部をカバーで覆うようにした構造を示すものとしては、例えば、特許文献１がある。
【特許文献１】特開平１０−１９０８０３号公報
【発明の開示】
【発明が解決しようとする課題】
【００１２】
ところで、図１１に示す前記カバー８は、製造工程においてフロントケース９とリアケース１２が嵌合されるまでの間は完全に固定されることはなく、リアケース１２に仮固定された状態で工程内を流れたり輸送されたりする。この仮固定の状態では、カバー本体８ａのヒンジ部８ｃが図１５のヒンジ収納隙間部１４のリブ１５，１６間に挿入され、側部爪８ｄが開口部７の側辺の係合部１７に係合し、下辺爪８ｅが溝部による係合部１８に係合しているが、図１３に示すカバー８の挿入方向Ａとは反対方向である図１７のＡ’方向に対する固定は十分でないために、カバー８が端末装置本体１（リアケース１２）から抜け出してしまうことが考えられる。この問題に対処して固定強度を高めるためには、２個のリブ１５，１６間に前記ヒンジ部８ｃが圧入されるようにリブ１５，１６の間隔を設定することが考えられる。しかし、リブ１５，１６に対する前記ヒンジ部８ｃの圧入をきつく設定し過ぎると組み込み性が悪くなる問題があり、このため、現状では軽圧入としているが、このような軽圧入の構造ではカバー８を十分な固定状態に保持しておくことができない可能性がある。
【００１３】
更に、図１６に示すように、開口部７を開放するべくカバー８をＢ方向にスライドした状態では、前記側部爪８ｄ及び下辺爪８ｅは端末装置本体１の係合部１７，１８との係合から解放されているために、カバー８は図１６のＣ方向に容易に倒れることができて拘束力が更に弱くなるために、カバー８は図１７のＡ’方向へ容易に脱落してしまう可能性がある。
【００１４】
本発明は、斯かる実情に鑑みてなしたもので、カバー本体が端末装置本体から脱落するのを防止するようにした端末装置のカバー構造及び該カバー構造を備えた端末装置を提供しようとするものである。
【課題を解決するための手段】
【００１５】
本発明は、端末装置本体に設けられた開口部を覆うカバー本体と、
前記カバー本体の一端側から一体に延び且つ先端部に鉤状突片部が形成されたヒンジ部と、
前記端末装置本体に設けられて、前記カバー本体と係合及び離脱可能な係合部と、
前記端末装置本体の前記開口部に隣設されて、前記ヒンジ部を収納可能なヒンジ収納隙間部と、
該ヒンジ収納隙間部に設けられて、前記ヒンジ部が前記ヒンジ収納隙間部に沿って前記開口部側へ引き出される方向に前記カバー本体をスライドさせたときに前記鉤状突片部と係止して前記ヒンジ部の前記開口部側への引き出しを規制するヒンジ部抜け止め用のリブと、
を備えて構成され、
前記ヒンジ収納隙間部にヒンジ部が挿入された状態で、前記カバー本体を前記係合部に係合させて前記開口部を前記カバー本体で覆う一方、前記カバー本体を前記係合部から離脱させ、前記カバー本体をヒンジ部が前記ヒンジ収納隙間部に沿って前記開口部側へ引き出される方向にスライドさせつつ、前記カバー本体を前記端末装置本体から離反させることにより、前記開口部を開くよう構成した端末装置のカバー構造において、
前記ヒンジ部が前記ヒンジ収納隙間部に沿って前記開口部側へ引き出される方向に前記カバー本体をスライドさせたときに、前記鉤状突片部と係止して、当該鉤状突片部の前記スライド方向に対して略垂直な方向への移動を規制する移動規制部材を備えた
ことを特徴とする端末装置のカバー構造、に係るものである。
【００１６】
上記端末装置のカバー構造において、前記ヒンジ部は、可撓性を有すると共に、
前記移動規制部材は、前記鉤状突片部が前記リブに係止しているときに、前記鉤状突片部を係止する
ことを特徴とする。
【００１７】
また、上記端末装置のカバー構造において、
前記移動規制部材は、前記カバー本体が前記係合部に係合して前記開口部を覆った状態では、前記鉤状突片部との係止が解除されるように構成されている
ことを特徴とする。
【００１８】
また、上記端末装置のカバー構造において、
前記ヒンジ部は、前記ヒンジ収納隙間部に対して、前記端末装置本休の前記カバー本体が取り付けられる面に平行な方向から挿入可能であり、
前記移動規制部材は、前記鉤状突片部を係止したときに、前記ヒンジ部が挿入される方向と反対方向への前記鉤状突片部の移動を規制する
ことを特徴とする。
【００１９】
上記端末装置のカバー構造において、前記鉤状突片部が、前記スライド方向へ延びるように形成される溝を有し、
前記移動規制部材は、前記溝に係合して、当該鉤状突片部の前記スライド方向に対して略直角な方向への移動を規制する
ことを特徴とする。
【００２０】
また、上記端末装置のカバー構造において、
前記鉤状突片部と前記移動規制部材とは、両者が互いに係止した場合に圧接するように構成されている
ことを特徴とする。
【００２１】
本発明は、上記に記載した端末装置のカバー構造を備えたことを特徴とする端末装置、に係るものである。
【００２２】
上記手段によれば、以下のような作用が得られる。
【００２３】
開口部が開放された端末装置本体にカバーを取り付けるには、カバー本体のヒンジ部に備えた鉤状突片部をヒンジ収納隙間部に挿入すると共に、ヒンジ部をリブ間に差込むように挿入する一方、カバー本体の側部爪と下辺爪を端末装置本体の係合部に係合させてカバー本体により開口部を閉じる。
【００２４】
開口部を開けるには、側部爪を端末装置本体の係合部から離脱させ、カバー本体をヒンジ部がヒンジ収納隙間部から引き出される方向にスライドさせる。すると、鉤状突片部が移動規制部材と係合し、これによって、ヒンジ部は、該ヒンジ部をヒンジ収納隙間部から開口部側へ引き出されるスライド方向と略垂直な方向への移動が規制される。
【発明の効果】
【００２５】
ヒンジ部の鉤状突片部がヒンジ収納隙間部に挿入された状態からカバー本体を、ヒンジ部がヒンジ収納隙間部から引き出される方向にスライドさせた時に、鉤状突片部が移動規制部材と係合して、ヒンジ部をヒンジ収納隙間部から開口部側へ引き出されるスライド方向と略垂直な方向への移動を規制するようにしたので、前記鉤状突片部と移動規制部材との係合により、カバーが端末装置本体から抜け落ちることを抑制できる効果がある。
【発明を実施するための最良の形態】
【００２６】
以下、本発明の実施の形態を添付図面を参照して説明する。
【００２７】
図１〜図７は本発明を実施する形態の一例であって、図中、図１０〜図１７と同一の符号を付した部分は同一物を表わしており、基本的な構成は図１０〜図１７に示す従来のものと同様であるので、基本構造の説明は省略し、本発明の特徴部分についてのみ詳述する。
【００２８】
図１に示す如く、図１２と同様にカバー本体８ａと、鉤状突片部８ｂを有するヒンジ部８ｃとを一体に備えたカバー８において、前記鉤状突片部８ｂに、カバー本体８ａを端末装置本体１に取り付ける面（端末装置本体１にカバー８を挿入する方向と平行な面）と略直交してカバー本体８ａの長手方向に延びる溝１９を設ける。
【００２９】
一方、図３、図４及び図５に示す如く、端末装置本体１のヒンジ収納隙間部１４におけるリブ１５に近い位置には、前記鉤状突片部８ｂの溝１９と係合可能なガイド板２０ａからなる移動規制部材２０を設ける。該移動規制部材２０のガイド板２０ａは、前記ヒンジ収納隙間部１４にヒンジ部８ｃを挿入する深さ方向の中間において、挿入方向と直交する方向で端末装置本体１の内側から外側に向かって延びており、図５に示す如くカバー本体８ａが開口部７を塞ぐように取り付けた状態では鉤状突片部８ｂはヒンジ収納隙間部１４のガイド板２０ａと平面視で干渉しない位置にあり、開口部７を開放させるべく図６のようにカバー８をＢ方向にスライドさせると、鉤状突片部８ｂに形成した溝１９が前記ガイド板２０ａに係合し、これによって、ヒンジ部８ｃは、ヒンジ収納隙間部１４に挿入する方向と反対方向への抜け出しが規制されるようになっている。
【００３０】
前記鉤状突片部８ｂの溝１９と、該溝１９に係合する前記ガイド板２０ａは、係合した時に互いに圧接される寸法Ｘで形成してあり、従って、カバー本体８ａを図６のＢ方向にスライドさせて鉤状突片部８ｂの溝１９を前記ガイド板２０ａに係合させると、鉤状突片部８ｂは移動規制部材２０に結合されるようになっている。
【００３１】
前記移動規制部材２０のガイド板２０ａは端末装置本体１にアンダーカットにて形成することができる。このアンダーカット形状は、通常では図８に示すように互いに近接・離反するキャビティ金型２１とコア金型２２を用い、該金型２１，２２の近接・離反方向と直交する方向にスライドするスライド駒２３を設けることによってガイド板２０ａを備えた端末装置本体１（リアケース１２）を形成しているが、図９に示すように端末装置本体１（リアケース１２）の形状を工夫することにより、突部２４を備えた押し切りによる金型構造の採用を可能にし、これによってガイド板２０ａを有する端末装置本体１（リアケース１２）を容易に製造することができる。
【００３２】
次に、上記図示例の作用を説明する。
【００３３】
図２、図３に示す如く開口部７が開放された端末装置本体１に、前記開口部７を閉じるべく図１のカバー８を取り付けるには、図４、図５に示す如く、カバー本体８ａのヒンジ部８ｃに備えた鉤状突片部８ｂをヒンジ収納隙間部１４に挿入すると共に、ヒンジ部８ｃをヒンジ収納隙間部１４のリブ１５，１６間に差込むように挿入する一方、他端側の側部爪８ｄを開口部７の側辺の係合部１７に係合させ、且つカバー本体８ａの下辺に設けた下辺爪８ｅを溝部による係合部１８に係合させる。これにより開口部７はカバー本体８ａによって閉じられる。
【００３４】
また、前記開口部７を開けるには、側部爪８ｄを端末装置本体１の係合部１７から離脱させ、図１６に示す如くカバー本体８ａをヒンジ部８ｃがヒンジ収納隙間部１４から開口部７側へ引き出される方向Ｂにスライドさせる。すると、鉤状突片部８ｂに形成した溝１９が前記ガイド板２０ａに係合し、これによって、鉤状突片部８ｂのスライド方向（方向Ｂ）と略垂直方向への移動が規制されることとなり、ヒンジ部８ｃは、該ヒンジ部８ｃをヒンジ収納隙間部１４に挿入する方向と反対方向Ａ’への抜け出しが規制される。この時、前記鉤状突片部８ｂの溝１９とガイド板２０ａは圧接される寸法Ｘ（図７）に形成してあるので、カバー本体８ａをＢ方向にスライドさせると鉤状突片部８ｂは移動した位置に結合される。従って、前記カバー本体８ａをＢ方向にスライドさせて開口部７を開放した状態にして端末装置本体１（リアケース１２）を輸送する等の取り扱いを行っても、カバー８が開口部７から抜け落ちることを防止できる。
【００３５】
上述したように、本実施形態における端末装置は、端末装置本体１の開口部７に脱着可能に構成されるカバー本体８ａと、カバー本体８ａと一体に設けられて端末装置本体１に形成されたヒンジ収納隙間部１４に収納されるヒンジ部８ｃとを備えたカバー８を備えて構成される。また、カバー本体８ａと端末装置本体１の係合部１７，１８との係合を解除して、カバー本体８ａを開口部７から離脱させた状態でヒンジ部８ｃがヒンジ収納隙間部１４に沿って開口部７側へ引き出される方向にスライド可能に構成されている。
【００３６】
そして、ヒンジ部８ｃには、ヒンジ部８ｃがヒンジ収納隙間部１４に沿って開口部７側へ引き出される方向にスライドされたときに、端末装置本体１のヒンジ収納隙間部１４に設けられたヒンジ部抜け止め用のリブ１５，１６と係止する鉤状突片部８ｂが設けられている。よって、カバー本体８ａを開口部７から離脱させた状態でスライドさせた場合に、鉤状突片部８ｂがリブ１５，１６に係止することにより、カバー８が端末装置本体１からスライド方向に抜けることが抑制される。
【００３７】
さらに、本実施形態における端末装置は、カバー８をヒンジ部８ｃがヒンジ収納隙間部１４に沿って開口部７側へ引き出される方向にスライドさせたときに、鉤状突片部８ｂと係止して、鉤状突片部８ｂがスライド方向と略垂直な方向へ移動することを規制する移動規制部材としてのガイド板２０ａを設けた。よって、カバー８をヒンジ部８ｃがヒンジ収納隙間郡１４に沿って開口部７側へ引き出される方向にスライドさせた場合、カバー８が当該スライド方向と垂直な方向に抜けることが抑制される。
【００３８】
このような構成によれば、カバー８を端末装置本体１（リヤケース１２）に装着した状態で端末装置本体１を搬送する場合には、カバー本体８ａを開口部７から離脱させて、カバー８をヒンジ部８ｃがヒンジ収納隙間部１４に沿って開口部７側へ引き出される方向にスライドさせた状態としておくことにより、カバー８の端末装置本体１から抜け落ちることが抑制されて、搬送性や組み付け作業性が向上する。
【００３９】
また、ガイド板２０ａを、鉤状突片部８ｂがリブ１５，１６に係止しているときに鉤状突片部８ｂと係止するように構成したり、カバー本体８ａが係合部１７，１８に係合して開口部７を覆った状態では鉤状突片部８ｂとの係止が解除されるように構成されているので、ヒンジ部８ｃをヒンジ収納隙間部１４に収納させる際に、鉤状突片部８ｂがガイド板２０ａと係止することはなく、カバー８の端末装置本体１への装着を容易に行うことができる。
【００４０】
また、ヒンジ部８ｃは、ヒンジ収納隙間部１４に対して、端末装置本体１のカバー本体８ａが取り付けられる面に略平行な方向から挿入可能であって、ガイド板２０ａは、鉤状突片部８ｂを係止したときに、ヒンジ部８ｃのヒンジ収納隙間部１４への挿入方向とは反対方向への鉤状突片部と８ｂの移動が規制されるように構成されているので、カバー８の挿入方向とは反対方向への抜けが好適に抑制できる。
【００４１】
なお、本実施形態では、鉤状突片部８ｂにスライド方向へ延びるように形成されてガイド板２０ａと係合する溝１９を設けた構成としたが、この構成に限定されることなく、鉤状突片部８ｂが、ガイド板２０ａ（移動規制部材）に係止されてスライド方向と略垂直な方向への移動が規制される構成であればよい。
【００４２】
また、鉤状突片部８ｂとガイド板２０ａ（移動規制部材）とは、互いに係止した場合に圧接する構成としたが、この構成に限定されることはない。
【００４３】
尚、本発明の端末装置のカバー構造及び該カバー構造を備えた端末装置は、上述の図示例にのみ限定されるものではなく、本発明の要旨を逸脱しない範囲内において種々変更を加え得ることは勿論である。
【図面の簡単な説明】
【００４４】
【図１】本発明を実施する形態の一例を示すカバーの斜視図である。
【図２】開口部が開放された端末装置本体の一例を示す平面図である。
【図３】図２のＩＩＩ部分の詳細図である。
【図４】図２の開口部をカバーで閉じた状態を示す平面図である。
【図５】図４のＶ部分の詳細図である。
【図６】鉤状突片部と移動規制部材とが係合した状態を示す斜視図である。
【図７】図６のＶＩＩ−ＶＩＩ矢視相当図である。
【図８】金型を用いてアンダーカット形状のガイド板を形成する通常の方法を示す断面図である。
【図９】金型を用いてアンダーカット形状のガイド板を形成する場合の簡略な方法を示す断面図である。
【図１０】端末装置として折畳式の携帯電話機の一例を示す斜視図である。
【図１１】端末装置本体の下部筐体を組み立てる構成部品の一例を示す斜視図である。
【図１２】従来のカバーの構成を示す斜視図である。
【図１３】端末装置本体の開口部にカバーを挿入する状態を示す斜視図である。
【図１４】図１３の一部を拡大して示した斜視図である。
【図１５】図１２のカバーを端末装置本体の開口部に挿入した状態を示す平面図である。
【図１６】カバー本体をヒンジ部がヒンジ収納隙間部から引き出される方向にスライドさせた状態を示す平面図である。
【図１７】カバーが挿入方向とは反対方向に抜け出し易いことを説明する斜視図である。
【符号の説明】
【００４５】
１  端末装置本体
７  開口部
８  カバー
８ａ        カバー本体
８ｂ        鉤状突片部
８ｃ        ヒンジ部
１４  ヒンジ収納隙間部
１５，１６    リブ
１７  係合部
１８  係合部
１９  溝
２０  移動規制部材
２０ａ        ガイド板
Ａ    挿入方向
Ａ’  反対方向
Ｂ    スライド方向
【図１】
0004448073.tif 000002
【図２】
0004448073.tif 000003
【図３】
0004448073.tif 000004
【図４】
0004448073.tif 000005
【図５】
0004448073.tif 000006
【図６】
0004448073.tif 000007
【図７】
0004448073.tif 000008
【図８】
0004448073.tif 000009
【図９】
0004448073.tif 000010
【図１０】
0004448073.tif 000011
【図１１】
0004448073.tif 000012
【図１２】
0004448073.tif 000013
【図１３】
0004448073.tif 000014
【図１４】
0004448073.tif 000015
【図１５】
0004448073.tif 000016
【図１６】
0004448073.tif 000017
【図１７】
0004448073.tif 000018